(57)【要約】【課題】空気より高比重のオゾンが充満しにくいエアフィルタ部も効果的に浄化できるオゾン浄化型空気調和機の提供。【解決手段】吸込口３にエアフィルタ５を有する本体１内に、放電によってオゾンを発生させる浄化装置９を設け、空気調和機の運転停止後に浄化装置９を運転し、本体１内部を浄化する空気調和機において、前記エアフィルタ５は枠部とネット部とを合成樹脂で一体に成形し、前記ネット部を構成する材料には抗菌性能を持つ金属イオンを含むセラミックス粒子を添加または塗布した構成としてある。これにより、金属イオンがオゾン分解触媒として作用し、金属イオンを含有するエアフィルタのネット部上でオゾンの分解が促進され、オゾンが分解する際に発生するラジカルによって、ネット上に付着した菌やウィルスを不活化し、エアフィルタを浄化する。【選択図】図１
2014159937.tif 000002
【特許請求の範囲】
【請求項１】
吸込口及び吹出口を備えた本体と、前記吸込口から前記吹出口に至る通風路に設けた熱交換器および送風ファンと、前記吹出口を開閉するルーバーと、前記吸込口に設けたエアフィルタとを備え、前記本体内には放電によって少なくともオゾンを発生させる浄化装置を有し、空気調和機の運転停止後に、前記浄化装置を運転し、前記本体内部を浄化する空気調和機において、前記エアフィルタは枠部とネット部とが合成樹脂で一体に成形されており、前記ネット部を構成する材料には抗菌性能を持つ金属イオンを含むセラミックス粒子を添加または塗布したことを特徴とする空気調和機。
【請求項２】
吸込口及び吹出口を備えた本体と、前記吸込口から前記吹出口に至る通風路に設けた熱交換器および送風ファンと、前記吹出口を開閉するルーバーと、前記吸込口に設けたエアフィルタとを備え、前記本体内には放電によって少なくともオゾンを発生させる浄化装置を有し、空気調和機の運転停止後に、前記浄化装置を運転し、前記本体内部を浄化する空気調和機において、前記本体または前記送風ファンを構成する材料には抗菌性能を持つ金属イオンを含むセラミックス粒子を添加または塗布したことを特徴とする空気調和機。
【請求項３】
抗菌性能を持つ金属イオンが銀イオンであることを特徴とする請求項１または請求項２のいずれか１項に記載の空気調和機。
【請求項４】
浄化装置を、熱交換器の上方かつエアフィルタの近傍に配置したことを特徴とする請求項１〜３のいずれか１項に記載の空気調和機。
【請求項５】
セラミックス粒子は、シリカもしくはゼオライトであることを特徴とする請求項１〜４のいずれか１項に記載の空気調和機。
【発明の詳細な説明】
【技術分野】
【０００１】
本発明は、室内ユニット内部およびエアフィルタに抗菌性の機能を備えた空気調和機に関するものである。
【背景技術】
【０００２】
一般的な空気調和機は、室内ユニットの本体前面および上面に空気の吸込口を、底面に空気の吹出口をそれぞれ形成し、この本体の内部に、エアフィルタと熱交換器と送風ファンとを収納し、送風ファンにより吸込口から吸い込んだ空気をエアフィルタにより除塵し、次いで熱交換器により熱交換させたのち吹出口より吹き出す構成になっている。
【０００３】
室内機に取り込まれる空気中のごみや埃の大部分はエアフィルタによって捕集されるため、ごみや埃に雑菌やかび等が含まれている場合、これらの雑菌やかび等もエアフィルタ上に捕集され付着した状態になる。さらに、室内機に取り込まれる空気には大小様々な塵埃が含まれているため、室内ユニット内にはエアフィルタで捕集されなかった小サイズのごみや埃が室内空気と一緒に吸い込まれ、このごみや埃が室内ユニット内部壁面や内部に設けられた送風ファンや熱交換器等に付着しやすい。
【０００４】
この付着したごみや埃に雑菌やかび等の微生物が含まれている場合、室内ユニット内で微生物が繁殖し易いという問題がある。特に、冷房運転停止後には、熱交換器で凝縮した凝縮水が室内ユニット内で蒸発し、室内ユニット内部の湿度が高くなるため、微生物がより繁殖し易くなるという問題がある。
【０００５】
このような問題に対して、空気調和機においては、特に室内ユニット内部の脱臭、抗菌等の浄化を目的とした技術が従来より提案されている。
【０００６】
例えば、室内ユニット内にオゾン発生装置を設けてオゾンの殺菌効果により、微生物の繁殖を抑制するよう構成した空気調和機が提案されている（特許文献１参照）。
【０００７】
また、室内ユニット内に光触媒を用いて防汚、脱臭および抗菌などの機能を有する空気調和機も提示されている（特許文献２参照）。
【先行技術文献】
【特許文献】
【０００８】
【特許文献１】特開平６−２７２８８８号公報
【特許文献２】特開２０００−３２０８５４号公報
【発明の概要】
【発明が解決しようとする課題】
【０００９】
上記特許文献１に記載されている空気調和機においては、室内ユニット内で発生させたオゾンは略密閉となっている室内ユニット内に拡散し、ある程度室内ユニット内に充満するが、ごみや埃が捕集されたエアフィルタは一般的に室内ユニットの上面に設置されているため、空気より高比重のオゾンを実際上エアフィルタまで充満させることが出来ず、エアフィルタ上に捕集された雑菌やかびの繁殖を十分に防止できないという課題があった。従い、室内ユニット内部全体を浄化して雑菌やかびの繁殖を防止するには不十分であった。
【００１０】
また、特許文献２に記載されている空気調和機においては、室内ユニット内に紫外線ラ
ンプを設けるとともに、室内ユニット内部壁面等に光触媒を担持させ、脱臭、防汚および抗菌等の機能を持たせているが、光触媒による抗菌作用は、光触媒との接触面さらには紫外線ランプによる紫外光が照射される範囲においてのみ作用が発揮されるので、それ以外の範囲では十分な抗菌作用が得られないという課題があった。従い、室内ユニット内部全体を浄化して雑菌やかびの繁殖を防止するには不十分であった。
【００１１】
本発明はこのような課題を解決したもので、空気より高比重のオゾンが充満しにくいエアフィルタ部も効果的に浄化できるオゾン浄化型の空気調和機を提供することを目的としたものである。
【課題を解決するための手段】
【００１２】
本発明は、上記目的を達成するため、エアフィルタを室内ユニット内の吸込口に備え、室内ユニット内には放電によって少なくともオゾンを発生させる浄化装置を有し、空気調和機の運転停止後に前記浄化装置を運転し前記空気調和機の内部を浄化する空気調和機において、前記エアフィルタは枠部とネット部とを合成樹脂で一体に成形し、前記ネット部を構成する材料には抗菌性能を持つ金属イオンを含むセラミックス粒子を添加または塗布したことを特徴とするものである。
【００１３】
このように少なくともオゾンを発生させる浄化装置と、ネット部を構成する材料に抗菌性能を持つ金属イオンを含むセラミックス粒子を添加または塗布したエアフィルタとを設けることにより、オゾン単独の殺菌作用および金属イオン単独の抗菌作用に加え、金属イオンのオゾン分解触媒としての作用により発生するラジカルによって菌やウィルスを不活化する効果も得られる。
【００１４】
これは、金属イオンはオゾン分解触媒として作用するため、金属イオンを含有するエアフィルタのネット部上でオゾンの分解が促進され、オゾンが分解する際に発生するラジカルによって、ネット部上に付着した菌やウィルスが不活化される。
【００１５】
従い、オゾンを十分充満させることが困難であるエアフィルタ部において、少ないオゾン量であってもエアフィルタ上でオゾンを分解し高い酸化力を有するラジカルを発生させ、ラジカルが効果的に菌やウィルス等を不活化することとなる。
【００１６】
また、本発明の空気調和機は、放電によって少なくともオゾンを発生させる浄化装置を有し、空気調和機の運転停止後に、前記浄化装置を運転し、前記空気調和機の内部を浄化する空気調和機において、前記本体または送風ファンを構成する材料には抗菌性能を持つ金属イオンを含むセラミックス粒子を添加または塗布したことを特徴とするものである。
【００１７】
このように少なくともオゾンを発生させる浄化装置と、本体または送風ファンを構成する材料に抗菌性能を持つ金属イオンを含むセラミックス粒子を添加または塗布することにより、オゾン単独の殺菌作用および金属イオン単独の抗菌作用に加え、金属イオンのオゾン分解触媒としての作用により発生するラジカルによって菌やウィルスを不活化する効果も得られる。
【００１８】
これは、金属イオンはオゾン分解触媒として作用するため、金属イオンを含有する本体または送風ファン上でオゾンの分解が促進され、オゾンが分解する際に発生するラジカルによって、本体または送風ファン上に付着した菌やウィルスが不活化される。
【００１９】
従い、金属イオンを含むセラミックス粒子を均一に添加または塗布した本体または送風ファンにおいて、オゾンの分解とラジカルによる菌やウィルスの不活化が偏りなく行われ、本体または送風ファンの表面を均一に浄化することとなる。
【発明の効果】
【００２０】
本発明の空気調和機は、オゾンの充満が困難であるエアフィルタ部において、少ないオゾン量であっても効果的に菌やウィルス等を不活化することができる。さらに、本体または送風ファンの表面を均一に浄化することができる。
【図面の簡単な説明】
【００２１】
【図１】本発明の実施の形態１における空気調和機の横断面図
【図２】同実施の形態１における空気調和機の正面図
【図３】同実施の形態１における空気調和機のエアフィルタ部分を示す正面図
【発明を実施するための形態】
【００２２】
第１の発明は、吸込口及び吹出口を備えた本体と、前記吸込口から前記吹出口に至る通風路に設けた熱交換器および送風ファンと、前記吹出口を開閉するルーバーと、前記吸込口に設けたエアフィルタとを備え、前記本体内には放電によって少なくともオゾンを発生させる浄化装置を有し、空気調和機の運転停止後に、前記浄化装置を運転し、前記本体内部を浄化する空気調和機において、前記エアフィルタは枠部とネット部とを合成樹脂で一体に成形し、前記ネット部を構成する材料には抗菌性能を持つ金属イオンを含むセラミックス粒子を添加または塗布した構成としてある。
【００２３】
このように空気調和機の本体内に浄化装置を設け、空気調和機の運転停止後に、前記浄化装置を運転することにより、略密閉となっている前記本体内に前記浄化装置より発生させたオゾンが自然拡散により拡散し、気体であるオゾンが前記本体内部に充満する。オゾンは酸化力による殺菌作用を有しており、このオゾンの殺菌作用により前記本体内部に付着している菌やウィルス等の微生物を不活化する。従い、前記浄化装置により発生させたオゾンにより前記本体内部を浄化し、前記本体内部は清潔に保たれる。オゾンを前記本体内に十分に拡散させるには、空気調和機の運転停止後の前記送風ファンの運転を停止した気流の無い状態で、前記浄化装置を運転させることが望ましい。
【００２４】
また、例えば銀イオンや銅イオンといったある種の金属イオンは抗菌作用を有しているため、前記エアフィルタの前記ネット部の材料に抗菌性能を持つ金属イオンを含むセラミック粒子を添加または塗布することにより、前記エアフィルタは抗菌性を有することとなる。従い、抗菌性能を持つ金属イオンの作用により前記エアフィルタ上に付着した菌やかび等の微生物の増殖を抑制することが可能となる。
【００２５】
さらに、銀イオン等の金属イオンはオゾン分解触媒として作用するため、金属イオンを含有する前記エアフィルタの前記ネット部上でオゾンの分解が促進され、オゾンが分解する際に発生するラジカルによって、前記ネット部上に付着した菌やウィルス等の微生物が不活化される。オゾンをなんらかの手段で分解させることでラジカル（活性酸素）を発生させる技術は反応促進技術としてオゾンの利用方法として広く利用されており、オゾンが分解する際に発生するラジカルはオゾンよりも高い酸化力を有しているため、菌やウィルス等の微生物に対するさらに高い不活化効果が得られる。よって、オゾンの充満が困難である前記エアフィルタ部においては、少ないオゾン量であっても前記エアフィルタ上でオゾンを分解し高い酸化力を有するラジカルを発生させ、前記ラジカルを効果的に菌やウィルス等の不活化に利用することにより、効果的に前記エアフィルタの浄化が可能となる。
【００２６】
さらに、前記金属イオンによるオゾンの分解およびラジカルの発生は、菌やウィルス等が付着している前記エアフィルタの表面上で行われるため、存在時間の短いラジカルを効率良く不活化に利用することが可能となる。また、前記エアフィルタは抗菌性能を持つ金属イオンを含有しているため、前記浄化装置の運転の有無に関わらず、前記エアフィルタ
は抗菌性を有している。従い、前記浄化装置の運転による浄化中に菌やウィルス等の不活化が完全に行われなかった場合においても、前記浄化装置の運転後に前記金属イオンの抗菌作用により菌等の増殖を抑制し、前記エアフィルタを清潔に保つことが可能となる。
【００２７】
第２の発明は、吸込口及び吹出口を備えた本体と、前記吸込口から前記吹出口に至る通風路に設けた熱交換器および送風ファンと、前記吹出口を開閉するルーバーと、前記吸込口に設けたエアフィルタとを備え、前記本体内には放電によって少なくともオゾンを発生させる浄化装置を有し、空気調和機の運転停止後に、前記浄化装置を運転し、前記本体内部を浄化する空気調和機において、前記本体または送風ファンを構成する材料には抗菌性能を持つ金属イオンを含むセラミックス粒子を添加または塗布した構成としてある。
【００２８】
このように本体内に浄化装置を設けることにより、第１の発明と同様にオゾンの殺菌作用により、前記本体内部に付着している菌やウィルス等の微生物を不活化することが出来る。従い、前記浄化装置により発生させたオゾンにより前記本体内部を浄化し清潔に保つことが出来る。
【００２９】
また、例えば銀イオンや銅イオンといったある種の金属イオンは抗菌作用を有しているため、前記本体または前記送風ファンを構成する材料に抗菌性能を持つ金属イオンを含むセラミック粒子を添加または塗布することにより、前記本体または前記送風ファンは抗菌性を有することとなる。従い、抗菌性能を持つ金属イオンの作用により、前記本体内または前記送風ファンにごみや埃と共に付着した菌やかび等の微生物の繁殖が抑制される。
【００３０】
さらに、第１の発明で既に述べたように銀イオン等の金属イオンはオゾン分解触媒として作用するため、金属イオンを含有する前記本体の表面上または前記送風ファンの表面上でオゾンの分解が促進され、オゾンが分解する際に発生するラジカルによって、前記本体の表面上および送風ファンの表面上に付着した菌やウィルス等の微生物が不活化される。
【００３１】
よって、前記本体内全体にオゾンが均一に充満せず殺菌に必要とされる十分なオゾン濃度が得られない場合においても、前記本体の表面上または前記送風ファンの表面上でオゾンを分解し高い酸化力を有するラジカルを発生させ、前記ラジカルを効果的に菌やウィルス等の不活化に利用することにより、前記本体または前記送風ファンの表面を均一に浄化することが可能となる。
【００３２】
さらに、前記金属イオンによるオゾンの分解およびラジカルの発生は、菌やウィルス等が付着している前記本体の表面上または前記送風ファンの表面上で行われるため、存在時間の短いラジカルを効率良く不活化に利用することが可能となる。また、前記本体および前記送風ファンは抗菌性能を持つ金属イオンを含有しているため、前記浄化装置の運転の有無に関わらず、前記本体および前記送風ファンは抗菌性を有している。従い、前記浄化装置の運転による浄化中に菌やウィルス等の不活化が完全に行われなかった場合においても、前記浄化装置の運転後に前記金属イオンの抗菌作用により菌等の繁殖を抑制し、前記本体および前記送風ファンを清潔に保つことが可能となる。
【００３３】
第３の発明は、第１および第２の発明において、抗菌性能を持つ金属イオンを銀イオンとしたものである。
【００３４】
この銀イオンは金属イオンの中でも特に抗菌効果が高いため、前記抗菌性能を持つ金属イオンに銀イオンを利用することにより、高い抗菌性を付与することが出来る。さらに銀イオンには、比較的広範囲の種類の細菌に対して抗菌効果を発揮する、また極めて安全性が高いといった利点もある。
【００３５】
従い、空気調和機を構成する樹脂材料に銀イオンを含むセラミックス粒子を添加または塗布することにより、抗菌効果を高めることが出来る。
【００３６】
第４の発明は、第１から第３の発明のいずれかの発明において、浄化装置を熱交換器の上方かつエアフィルタの近傍に配置したものである。
【００３７】
このように、浄化装置を前記熱交換器の上方に設置することによって、空気より比重の重いオゾンを自然に下方の前記熱交換器に拡散させ、さらに熱交換器を経由して前記送風ファンにまで充満させることが出来る。従い、前記熱交換器および前記送風ファンに十分な濃度のオゾンを充満させることができ、本体内部壁面や内部に設けられた送風ファンや熱交換器等に付着したごみや埃に含まれる雑菌やかび等の微生物を効果的にオゾンにより不活化することが出来る。
【００３８】
また、ごみや埃が捕集されたエアフィルタは一般的に本体の上面に設置されており、空気より高比重のオゾンを実際上エアフィルタまで充満させるのが困難であるが、前記浄化装置を前記エアフィルタの近傍に配置することにより、オゾンが前記エアフィルタに充満し易くなり、浄化に十分な濃度のオゾンに前記エアフィルタを曝すことが可能となる。
【００３９】
第５の発明は、第１から第４の発明のいずれかの発明において、セラミックス粒子をシリカもしくはゼオライトの粒子としたものである。
【００４０】
接触的なオゾン分解反応が様々の金属酸化物上で進行することは一般的に言われており、セラミックス粒子を二酸化ケイ素（ＳｉＯ2）であるシリカ、もしくは二酸化ケイ素（ＳｉＯ2）から成る骨格を基本とするゼオライトの粒子とすることにより、セラミックス粒子はオゾン分解触媒として作用する。従い、前記金属イオンの担持体である前記セラミックス粒子を、オゾン分解触媒として作用する二酸化ケイ素（ＳｉＯ2）を含有する粒子とすることにより、前記金属イオンのオゾン分解触媒の作用に加え、担持体である前記セラミックス粒子もオゾン分解触媒として作用することとなり、オゾンの分解を向上させることが可能となる。
【００４１】
オゾンが分解する際に発生するラジカルはオゾンよりも高い酸化力を有しているため、菌やウィルス等の微生物に対するさらに高い不活化効果を得ることが可能となる。
【００４２】
以下、本発明の実施の形態について、図面を参照しながら説明する。なお、この実施の形態によって本発明が限定されるものではない。
【００４３】
（実施の形態１）
図１は本発明の実施の形態１における空気調和機の横断面図である。まず、本実施の形態の空気調和機の全体構成について、図１を参照しながら説明する。
【００４４】
図１に示すように空気調和機の室内ユニットの本体１には、正面側に前面パネル２が配置され、前面パネル２の上面側に吸込口３が前面から上面にかけて形成され、前面パネル２の下面側に吹出口４が形成されている。吸込口３と吹出口４とを結ぶ通風路１ａには、空気中の粗い塵埃を取り除くためのエアフィルタ５と、ファンモータ（図示せず）に連結された送風ファン６と、熱交換器７とが設けられている。本体１の吸込口３から吸引された空気は熱交換器７を通過させることにより熱交換され、冷却または加熱される。その後、送風ファン６によって吹出口４より室内環境へと送り出され、所定の空調となるよう調整され、ルーバー８によって所定の方向へ調整された後、吹出される構成となる。
【００４５】
この時、本体１に吸い込まれる空気中の塵埃はエアフィルタ５に捕集される。エアフィ
ルタ５は、吸い込まれた室内空気の中に含まれる塵埃を捕集するためのものであり、熱交換器７の吸込側を覆うように設けられている。
【００４６】
本実施の形態では、浄化装置９は、熱交換器７の上側のエアフィルタ５近傍に設置されている。浄化装置９は本体１において、例えば吹出口４や送風ファン６近傍のどこに設置しても同様の殺菌効果を得ることが可能だが、空気よりも高比重のオゾンを本体１上面に設置されているエアフィルタ５まで充満させるためには、浄化装置９を熱交換器７の上側のエアフィルタ５近傍に設けることが望ましい。また、空気調和機の送風性能を低下させないためには浄化装置９と送風ファン６との距離を長く取ることが望ましく、浄化装置９を熱交換器７の上側のエアフィルタ５近傍に設置することにより、送風性能の低下を抑制することが出来る。
【００４７】
なお、浄化装置９は熱交換器上側の中央もしくは左右どちらかの端部等、吹出口４下部のどこに設置してもよく、本実施の形態により、特に設置場所を限定するものではない。
【００４８】
また、浄化装置９は放電によってオゾンが発生する構成としてあり、本実施の形態では、放電電極と対向電極を対置して両電極間に高電圧を印加し、コロナ放電によってオゾンを発生する。なお、浄化装置９は、コロナ放電方式を特に限定するものではなく、種々の発生方法が採用可能である。
【００４９】
図２は本発明の実施の形態１における空気調和機の正面図である。また、図３は、前面パネル２を取り外してエアフィルタ５部分を示した正面図である。
【００５０】
図２に示すように、エアフィルタ５は前面パネル２の後方に左右に１枚ずつ対になった状態で配置されている。図３に示すようにエアフィルタ５は枠部１０とネット部１１とがポリプロピレン樹脂で一体に成形されており、ネット部１１を構成する材料には銀イオンを含むセラミックス粒子が添加されている。
【００５１】
本実施の形態では、抗菌性能を持つ金属イオンとして銀イオンを採用したが、銀イオンに特に限定するものではなく、抗菌性を有する金属イオンとして銅イオンや亜鉛イオンも採用可能である。また、金属イオンの担持体としてのセラミックス粒子には、シリカ、アルミナ、ゼオライト等が採用可能だが、オゾン分解触媒としても作用する二酸化ケイ素（ＳｉＯ2）を含有するシリカもしくはゼオライトを採用することが望ましい。その他、オゾン分解触媒として作用する担持体としては、酸化チタンも採用可能である。
【００５２】
また、本実施の形態では、エアフィルタ５は枠部１０とネット部１１とがポリプロピレン樹脂で一体に成形したものとしているが、ポリプロピレンに限定するものではなく、種々の合成樹脂の採用が可能である。
【００５３】
次に、本発明の実施の形態１における空気調和機の動作について説明する。
【００５４】
空気調和機の運転終了後、制御部（図示せず）によりルーバー８で吹出口４を閉塞し、浄化装置９を作動し、空気調和機の室内ユニット内部を浄化するクリーン運転を開始する。
【００５５】
浄化装置９を作動させ、高電圧発生装置（図示せず）によって放電電極にマイナス電位を印加することにより、オゾンの発生が開始する。浄化装置９を熱交換器７の上側に設けることにより、空気より高比重であるオゾンは自然拡散により本体１上側の吸込口３から吹出口４に至る通風路１ａを経由し、熱交換器７と送風ファン６の各部に充満され、オゾンによる本体１内の浄化が行われる。さらに浄化装置９をエアフィルタ５の近傍に配置し
たことにより、エアフィルタ５は十分な濃度のオゾンに曝されることとなり、ごみや埃が捕集されたエアフィルタ５を効果的に浄化することが出来る。
【００５６】
さらにこの時、銀イオンはオゾン分解触媒としても作用するため、銀イオンを含有するエアフィルタ５のネット部１１上でオゾンの分解が促進され、オゾンが分解する際に発生するラジカルによって、ネット部１１上に付着した菌やウィルス等の微生物が不活化される。従い、オゾン単独の殺菌効果に加え、オゾン分解によって発生するラジカルの殺菌効果が加わって、ネット部１１は効果的に浄化される。
【００５７】
また、エアフィルタ５は開口部である本体１の吸込口３に設けられているため、エアフィルタ５に金属イオンを含有させ、本体１内に充満させたオゾンを金属イオンにより開口部近傍のエアフィルタ５上で分解を促進することにより、室内へのオゾンの漏出を低減することも可能となる。オゾンは僅かな濃度（０．０１ｐｐｍ〜０．０２ｐｐｍ）でも使用者に臭気を感知されるため、オゾンの不必要な本体１外への漏出を抑制することで使用者の臭気に対する不安感を軽減することが出来る。
【００５８】
また、ルーバー８で吹出口を閉塞することにより、本体１内部は密閉あるいは略密閉な状態となり、オゾンを短時間で効率良く本体１内に充満させることができ、浄化装置の運転時間を短縮することが出来る。さらに、本体１内部は密閉あるいは略密閉な状態にすることにで、オゾンの不必要な室内ユニット外への漏出を抑制することができ、使用者の臭気に対する不安感を軽減することが出来る。
【００５９】
前記のクリーン運転が所定時間行われると、浄化装置９は停止され、クリーン運転が終了する。
【００６０】
（実施の形態２）
本発明の実施の形態２における空気調和機の基本的な構成は、本発明の実施の形態１における空気調和機の構成と同じであるので、異なる点のみ説明する。以下、実施の形態２における空気調和機について、その動作、作用を説明するが、実施の形態１と同一構成については同一の符号を付してその詳細な説明は省略する。
【００６１】
実施の形態１では、ネット部１１を構成する材料に抗菌性能を持つ金属イオンを含むセラミックス粒子を添加または塗布していたが、実施の形態２では、本体１または送風ファン６を構成する材料に抗菌性能を持つ金属イオンを含むセラミックス粒子を添加または塗布している。
【００６２】
抗菌性を有する金属イオンとしては実施の形態１と同様に銀イオン、銅イオンや亜鉛イオンが採用可能である。また、金属イオンの担持体としてのセラミックス粒子には、実施の形態１と同様にシリカ、アルミナ、ゼオライト等が採用可能であるが、オゾン分解触媒としても作用する二酸化ケイ素（ＳｉＯ2）を含有するシリカもしくはゼオライトを採用することが望ましい。その他、オゾン分解触媒として作用する担持体としては、酸化チタンも採用可能である。
【００６３】
実施の形態１で述べたように銀イオン等の金属イオンはオゾン分解触媒として作用するため、クリーン運転を実施することにより、金属イオンを含有する本体１の表面上または送風ファン６の表面上でオゾンの分解が促進され、オゾンが分解する際に発生するラジカルによって、本体１の表面上および送風ファン６の表面上に付着した菌やウィルス等の微生物が不活化される。よって、本体１内全体にオゾンが均一に充満せず殺菌に必要とされる十分なオゾン濃度が得られない場合においても、本体１の表面上または送風ファン６の表面上でオゾンを分解し、高い酸化力を有するラジカルを発生させ、前記ラジカルを効果
的に菌やウィルス等の不活化に利用することが出来る。従い、本体１または送風ファン６の表面を均一に浄化することが可能となる。
【００６４】
また、金属イオンを含むセラミックス粒子を均一に添加または塗布した本体または送風ファンにおいて、オゾンの分解とラジカルによる菌やウィルスの不活化が偏りなく行われ、本体または送風ファンの表面を均一に浄化することとなる。  なお、この実施の形態２では本体１または送風ファン６を構成する材料に抗菌性能を持つ金属イオンを含むセラミックス粒子を添加または塗布したものを例示したが、これに加え更に実施の形態１で示したようにネット部１１を構成する材料にも抗菌性能を持つ金属イオンを含むセラミックス粒子を添加または塗布しても良く、更に効果的な浄化が可能となる。
【産業上の利用可能性】
【００６５】
以上のように本発明の空気調和機は、エアフィルタおよび本体を効果的に浄化し、本体内部を清潔に保つことが可能となるので、家庭用、業務用空調機を問わず展開を図ることができる。
【符号の説明】
【００６６】
１  本体
２  前面パネル
３  吸込口
４  吹出口
５  エアフィルタ
６  送風ファン
７  熱交換器
８  ルーバー
９  浄化装置
１０  枠部
１１  ネット部
【図１】
2014159937.tif 000003
【図２】
2014159937.tif 000004
【図３】
2014159937.tif 000005